(57)【要約】【課題】家庭用薄葉紙の嵩高さを確保して、拭き取り性の劣化を防止することが可能な家庭用薄葉紙の製造方法を提供する。【解決手段】家庭用薄葉紙（トイレクリーナー１００）にエンボスＥＭ１を形成するエンボス工程と、エンボスＥＭ１が形成された家庭用薄葉紙との接触面にエンボスＥＭ１の形状に基づく凹凸パターン（凸部１４１）が形成された押さえベルト１４により、エンボスＥＭ１が形成された家庭用薄葉紙を押圧して高さを一定とした後、一定の高さの家庭用薄葉紙を包装する包装工程と、を有する。【選択図】図７
2018016369.tif 000002
【特許請求の範囲】
【請求項１】
家庭用薄葉紙にエンボスを形成するエンボス工程と、
前記エンボスが形成された家庭用薄葉紙との接触面に前記エンボスの形状に基づく凹凸パターンが形成された押さえベルトにより、前記エンボスが形成された家庭用薄葉紙を押圧して高さを一定とした後、前記一定の高さの家庭用薄葉紙を包装する包装工程と、
を有することを特徴とする家庭用薄葉紙の製造方法。
【請求項２】
前記エンボスが形成された家庭用薄葉紙に薬液を含浸する薬液含浸工程を有し、
前記包装工程は、前記押さえベルトにより、前記薬液が含浸された家庭用薄葉紙を押圧して高さを一定とした後、前記一定の高さの家庭用薄葉紙を包装することを特徴とする請求項１に記載の家庭用薄葉紙の製造方法。
【請求項３】
前記押さえベルトは、前記家庭用薄葉紙との接触面に、前記エンボスの形状に基づく凸部が形成されていることを特徴とする請求項１又は２に記載の家庭用薄葉紙の製造方法。
【請求項４】
前記凸部は、スポット状に形成され、所定のピッチで配列されていることを特徴とする請求項３に記載の家庭用薄葉紙の製造方法。
【請求項５】
前記凸部は、先端部に凹部が形成されていることを特徴とする請求項４に記載の家庭用薄葉紙の製造方法。
【発明の詳細な説明】
【技術分野】
【０００１】
本発明は、家庭用薄葉紙の製造方法に関する。
【背景技術】
【０００２】
現在、トイレクリーナーやキッチンクリーナー等の家庭用薄葉紙は、風合い、吸収性及び嵩高性等を向上させるために、クレープ紙などの原紙を複数枚プライ加工して１枚のシートとしたものが一般的に使用されている。そして、このような家庭用薄葉紙の表面強度や嵩高性を高めるためにエンボス加工を施している。
【０００３】
例えば、抄紙プロセスでの搬送ベルト（水分を吸引するパート）に開孔パターンネット及び開孔パターン構造体を設けるようにし、パターン付与工程による凹凸のパターン付けを特定の熱量を付与して行うことで、嵩高性及び吸収性に富んだ嵩高紙を製造する方法が開示されている（例えば、特許文献１参照）。
また、クレープティシュ製紙機械のプレス工程（プレスフェルト）に凹凸付けベルトを設けるようにし、脱水と同時に凹凸を付与することで、高バルクなティッシュ紙ウェブを製造する方法が開示されている（例えば、特許文献２参照）。
【０００４】
ところで、家庭用薄葉紙を複数枚（積層した状態で）包装する製品において、品質を安定させるためには、プライ加工した原紙をエンボス加工させた後に、押さえベルトにてウェブ高さを一定にしてから包装する必要がある。
【先行技術文献】
【特許文献】
【０００５】
【特許文献１】特許第３４６１１２２号公報
【特許文献２】特許第５５０４１６９号公報
【発明の概要】
【発明が解決しようとする課題】
【０００６】
しかしながら、押さえベルトにてウェブ高さを一定にする包装方法では、家庭用薄葉紙に付与されたエンボスが押さえベルトによる押圧により潰されてしまうため、設計通りの嵩高さを得ることができないという課題がある。
上記特許文献１及び特許文献２記載の技術はいずれも、抄紙のサクションパートにおいて、水分の吸引と同時に凹凸パターン（エンボス）を付与することで、嵩高さを確保する技術であるため、家庭用薄葉紙の包装工程における上記の課題を解決するものではなかった。
【０００７】
本発明は、家庭用薄葉紙の嵩高さを確保して、拭き取り性の劣化を防止することが可能な家庭用薄葉紙の製造方法を提供することを目的とする。
【課題を解決するための手段】
【０００８】
請求項１に記載の発明は、上記目的を達成するためになされたものであり、
家庭用薄葉紙の製造方法において、
家庭用薄葉紙にエンボスを形成するエンボス工程と、
前記エンボスが形成された家庭用薄葉紙との接触面に前記エンボスの形状に基づく凹凸パターンが形成された押さえベルトにより、前記エンボスが形成された家庭用薄葉紙を押圧して高さを一定とした後、前記一定の高さの家庭用薄葉紙を包装する包装工程と、
を有することを特徴とする。
【０００９】
請求項２に記載の発明は、請求項１に記載の家庭用薄葉紙の製造方法において、
前記エンボスが形成された家庭用薄葉紙に薬液を含浸する薬液含浸工程を有し、
前記包装工程は、前記押さえベルトにより、前記薬液が含浸された家庭用薄葉紙を押圧して高さを一定とした後、前記一定の高さの家庭用薄葉紙を包装することを特徴とする。
【００１０】
請求項３に記載の発明は、請求項１又は２に記載の家庭用薄葉紙の製造方法において、
前記押さえベルトは、前記家庭用薄葉紙との接触面に、前記エンボスの形状に基づく凸部が形成されていることを特徴とする。
【００１１】
請求項４に記載の発明は、請求項３に記載の家庭用薄葉紙の製造方法において、
前記凸部は、スポット状に形成され、所定のピッチで配列されている。
【００１２】
請求項５に記載の発明は、請求項４に記載の家庭用薄葉紙の製造方法において、
前記凸部は、先端部に凹部が形成されていることを特徴とする。
【発明の効果】
【００１３】
本発明によれば、家庭用薄葉紙の嵩高さを確保して、拭き取り性の劣化を防止することができる。
【図面の簡単な説明】
【００１４】
【図１】本実施形態に係る家庭用薄葉紙の一例を示す平面図である。
【図２】本実施形態に係る家庭用薄葉紙の製造方法を示すフローチャートである。
【図３】本実施形態に係る家庭用薄葉紙の製造設備（溶液付与設備）の一例を示す模式図である。
【図４】本実施形態に係る家庭用薄葉紙の製造設備（加工設備）の一例を示す模式図である。
【図５】押さえベルトの全体構成を示す側面図である。
【図６】押さえベルトの構成を示す斜視図及びＥ１−Ｅ１線における側面断面図である。
【図７】家庭用薄葉紙の積層体搬送時の上押さえベルトと最上層の家庭用薄葉紙の一例を示す側面断面図である。
【図８】変形例１に係る押さえベルトの構成を示す斜視図及びＥ２−Ｅ２線における側面断面図である。
【図９】変形例２に係る押さえベルトの構成を示す斜視図及びＥ３−Ｅ３線における側面断面図である。
【図１０】変形例３に係る押さえベルトの構成を示す斜視図及びＥ４−Ｅ４線における側面断面図である。
【図１１】変形例４に係る押さえベルトの構成を示す斜視図及びＥ５−Ｅ５線における側面断面図である。
【発明を実施するための形態】
【００１５】
以下、図面を参照しつつ、本発明の実施形態である家庭用薄葉紙を詳細に説明する。但し、発明の範囲は、図示例に限定されない。
【００１６】
本実施形態では、本発明により製造される家庭用薄葉紙として、トイレクリーナー１００を例示して説明する。なお、本発明の家庭用薄葉紙には、トイレクリーナー以外の清拭用途の水や薬液を含浸させたウェットティシューやドライな清拭用途のキッチンペーパーやティシューペーパーなども含まれる。また、トイレクリーナー１００の短手方向をＸ方向、トイレクリーナー１００の長手方向をＹ方向として説明する。
【００１７】
トイレクリーナー１００のＸ方向は、抄紙機上の紙の進行（漉き目の）方向（マシン方向（ＭＤ方向）：machine direction）であり、トイレクリーナー１００のＹ方向は、抄紙機の幅（流れ目に直角）方向（クロスマシン方向（ＣＤ方向）、cross machine direction）である。
【００１８】
［トイレクリーナー１００の構成］
本実施形態によって製造されるトイレクリーナー１００は、複数枚の原紙がプライ加工（積層）されたものであって、所定の薬液が塗布されている。また、トイレクリーナー１００のシート全面には、図１に示す通り、円形状のエンボスＥＭ１がエンボス加工により施されている。なお、本実施形態では、トイレクリーナー１００のシート全面にエンボスＥＭ１を形成するようにしているが、これに限定されるものではなく、トイレクリーナー１００のシートの一部にエンボスＥＭ１を形成する構成であってもよい。
【００１９】
また、トイレクリーナー１００は、折り畳み加工されることにより、例えば、長手方向（Ｙ方向）の中央部で２つ折りに折り畳まれる。そして、折り畳まれた状態で保管用のプラスチックケースや包装フィルム内等に保管され、使用時には必要に応じて広げて使用される。なお、トイレクリーナー１００の折り畳み方は、２つ折りに限ることはなく、例えば、４つ折りにしても良く８つ折りにしても良い。
【００２０】
また、本実施形態のトイレクリーナー１００は、トイレを掃除した後、そのまま便器の水溜りに廃棄できるように、水解性の繊維集合体から構成されている。
【００２１】
繊維集合体としては、天然繊維、合成繊維又はこれらを混合した繊維等を使用することができ、水解性を有する繊維集合体であれば特に限定されることはない。好適な原料繊維としては、木材パルプ、非木材パルプ、レーヨン、コットン等のセルロース系繊維、ポリ乳酸などからなる生分解性繊維等が挙げられる。また、基材の強度を向上させるために、水溶性バインダーとしてポリビニルアルコール（ＰＶＡ）やカルボキシメチルセルロース（ＣＭＣ）等を配合若しくは塗工・塗布してもよい。
【００２２】
また、本実施形態のトイレクリーナー１００には、所定の薬液が塗布されており、具体的には、水性洗浄剤の他、香料、防腐剤、除菌剤、紙力増強剤等の補助剤を含む所定の薬液が塗布されている。
【００２３】
薬液としては、適宜のものを使用することができ、例えば、水性洗浄剤としては、界面活性剤の他、低級又は高級（脂肪族）アルコールを使用することができる。香料としては、水性香料の他、オレンジオイル等の油性香料の中から、一種又は数種を適宜選択して使用することができる。防腐剤としては、例えば、メチルパラベン、エチルパラベン、プロピルパラベン等のパラベン類を使用することができる。除菌剤としては、アルコール、パラオキシ安息香酸エステル、モノマーの四級アンモニウム塩、塩化セチルピリジニウム、フェノキシエタノール等を使用することができる。紙力増強剤としては、ホウ酸、種々の金属イオン等を使用することができる。
【００２４】
また、上述した薬液の成分の補助剤については適宜選択可能であり、必要に応じて他の機能を果たす成分を薬液に含ませてもよい。
【００２５】
［トイレクリーナー１００の製造方法］
次に、トイレクリーナー１００の製造方法について、図２〜図４を参照して説明する。
トイレクリーナー１００の製造方法では、図２に示すように、先ず、抄紙機（図示省略）で原紙となる紙を抄造する抄紙工程（Ｓ１）を行う。
【００２６】
次いで、図２及び図３に示すように、溶液付与設備において、抄造された原紙を巻取った複数（例えば、２本）の１次原反ロール１，１からそれぞれ繰り出される連続乾燥原紙１Ａ，１Ａをプライ加工しプライ連続シート１Ｂとするプライ加工工程（Ｓ２）と、プライ連続シート１Ｂに対してバインダー溶液を付与し連続シート１Ｃとする溶液付与工程（Ｓ３）と、連続シート１Ｃを乾燥させる乾燥工程（Ｓ４）と、乾燥させた連続水解性シート１Ｄをスリットし巻取るスリット・巻き取り工程（Ｓ５）とを行う。なお、１次原反ロールは２本以上であれば適宜本数を変更可能であるが、以下の説明においては、２本使用する場合の例について説明する。
【００２７】
次いで、図２及び図４に示すように、加工設備において、上記スリット・巻き取り工程（Ｓ５）で巻取った２次原反ロール１１から繰り出される連続水解性シート１Ｄに対してエンボス加工を施すエンボス加工工程（Ｓ６）と、エンボス加工が施されたエンボス済シート１Ｅに対して仕上げ加工を施す仕上げ加工工程（Ｓ７）とを行う。
【００２８】
〔抄紙工程〕
本発明の抄紙工程（Ｓ１）では、例えば、公知の湿式抄紙技術により抄紙原料を抄紙して原紙シートを形成する。すなわち、抄紙原料を湿紙の状態とした後に、ドライヤーなどによりこれを乾燥して、薄葉紙、クレープ紙などの原紙シートを形成する。
【００２９】
原紙シートの原料としては、例えば、既知のバージンパルプ、古紙パルプなどを利用でき、少なくともパルプ繊維を含むものである。この原料となるパルプは、特にＬＢＫＰとＮＢＫＰを適宜の割合で配合したものが適する。なお、パルプ繊維以外の繊維として、レーヨン繊維や合成繊維などが含有されていてもよい。
【００３０】
また、本発明の原紙シートには、凝集剤として、アニオン性アクリルアミド系重合体（以下、「アニオン性ＰＡＭ」する。）が含有される。アニオン性ＰＡＭとは、アクリルアミド系単量体とアニオン性単量体とを共重合して得られる重合体である。 
アクリルアミド系単量体としては、アクリルアミド単独や、アクリルアミドと以下のようなアクリルアミドと共重合可能なノニオン性単量体等と、の混合物である。アクリルアミドと共重合可能なノニオン性単量体としては、メタクリルアミド、Ｎ、Ｎ−ジメチルアクリルアミド、Ｎ、Ｎ−ジエチルアクリルアミド、Ｎ−イソプロピルアクリルアミド、Ｎ−イソプロピルクリルアミド、Ｎ−ヒドロキシエチルアクリルアミド、ダイアセトンアクリルアミド、アクリロイルモルホリン、Ｎ−アクリロイルピロリジン、Ｎ−アクリロイルピペリジン、Ｎ−ビニルロリドン、Ｎ−ビニルホルムアミド、Ｎ−ビニルアセトアミドが例示される。これらは単独で用いても、２種以上を併用しても良い。
アニオン性単量体としては、アクリル酸、メタクリル酸、アクリルアミド−２−メチルプロパンスルホン酸、イタコン酸、マレイン酸、フマル酸、及びこれらの中和塩が例示される。
なお、アニオン性ＰＡＭの水溶性を損ねない程度であれば、スチレン、アクリルニトリル、（メタ）アクリル酸エステル等の単量体を配合してもよい。
アニオン性ＰＡＭの添加量としては、好適には、１０〜１０００ｐｐｍ程度である。このような、パルプと同電荷のアニオン系の凝集剤を用いて抄紙することで、原紙シートの凝集を低下させることができ、毛細管現象により水解性を向上させることができる。
【００３１】
なお、原紙シートには、上述したパルプ及び凝集剤の他、湿潤紙力剤、接着剤、剥離剤等の抄紙用薬品を適宜用いてもよい。
【００３２】
本実施形態では、抄紙工程において、原紙シートの縦横の繊維配向の比率（縦／横）が０．８〜２．０、好ましくは１．０となるように調整が行われる。繊維配向の調整は、例えば、抄紙機において、抄紙原料をワイヤーパートに供給する角度を調整することで行うことができる。抄紙原料を供給する角度は、例えば、ヘッドボックスのスライス開度を調整することにより行うことができる。または、抄紙機の搬送方向（走行方向）と直交する方向に振動を与える等により繊維配向を調整することとしてもよい。
【００３３】
〔連続乾燥原紙〕
連続乾燥原紙１Ａの物性としては、好適には、目付けが１５〜７５ｇｓｍ程度である。また、プライ加工された水溶性バインダーを含むシート（連続水解性シート１Ｄ）の目付けは、３０〜１５０ｇｓｍ程度である。なお、目付けは、ＪＩＳ Ｐ ８１２４に基づくものである。
連続乾燥原紙１Ａは、後述するプライ加工工程（Ｓ２）、溶液付与工程（Ｓ３）、乾燥工程（Ｓ４）、スリット・巻き取り工程（Ｓ５）を経て、プライ加工された水解紙となり、更に、後述するエンボス加工工程（Ｓ６）、仕上げ加工工程（Ｓ７）を経て、トイレクリーナー１００に加工される。
【００３４】
〔プライ加工工程〕
次いで、プライ加工工程（Ｓ２）では、図３に示すように、原反ロール１から連続的に繰り出される各連続乾燥原紙１Ａ，１Ａを、その連続方向に沿ってプライ加工しプライ連続シート１Ｂとする重ね合わせ部２に供給される。重ね合わせ部２は、一対のロールで構成され、各連続原紙１Ａ，１Ａをプライ加工し、プライ加工されたプライ連続シート１Ｂを形成する。なお、連続乾燥原紙１Ａ，１Ａ同士を重ね合わせる際に、連続乾燥原紙１Ａ，１Ａ同士がずれにくくなるように、ピンエンボス（コンタクトエンボス）で軽く留めておいてもよい。
【００３５】
〔バインダー溶液〕
バインダー溶液は、カルボキシルメチルセルロース（ＣＭＣ）を水溶性バインダーとして含むものである。バインダー溶液中におけるカルボキシルメチルセルロースの濃度としては、１〜３０重量％、好ましくは、１重量％以上、４重量％未満とする。
【００３６】
他方、ＣＭＣについては、そのエーテル化度が０．６〜２．０、特に０．９〜１．８、更に好ましくは１．０〜１．５であるのが望ましい。水解性と湿潤紙力の発現が極めて良好となる。
【００３７】
また、ＣＭＣは、水膨潤性のものを用いることができる。これは、薬液中の特定金属イオンの架橋により、未膨潤化のままシートを構成する繊維をつなぎとめる機能を発揮し、清掃・清拭作業に耐えうる拭き取りシートとしての強度を発現することができる。
【００３８】
バインダー溶液中のカルボキシルメチルセルロース以外の成分としては、ポリビニルアルコール、デンプンまたはその誘導体、ヒドロキシプロピルセルロース、アルギン酸ナトリウム、トラントガム、グアーガム、キサンタンガム、アラビアゴム、カラギーナン、ガラクトマンナン、ゼラチン、カゼイン、アルブミン、プルプラン、ポリエチレンオキシド、ビスコース、ポリビニルエチルエーテル、ポリアクリル酸ソーダ、ポリメタアクリル酸ソーダ、ポリアクリルアミド、ポリアクリル酸のヒドロキシル化誘導体、ポリビニルピロリドン／ビニルピロリドン酢酸ビニル共重合体等のバインダー成分が挙げられる。
【００３９】
水解性が良好となる点や架橋反応により湿潤強度を発現しうる点からカルボキシル基を有する水溶性バインダーを用いることが好ましい。
カルボキシル基を有する水溶性バインダーは、水中で容易にカルボキシラートを生成するアニオン性の水溶性バインダーである。その例としては多糖誘導体、合成高分子、天然物が挙げられる。多糖誘導体としてはカルボキシメチルセルロースの塩、カルボキシエチルセルロース又はその塩、カルボキシメチル化デンブン又はその塩などが挙げられ、特にカルボキシメチルセルロースのアルカリ金属塩が好ましい。
【００４０】
合成高分子としては、不飽和カルボン酸の重合体又は共重合体の塩、不飽和カルボン酸と該不飽和カルボン酸と共重合可能な単量体との共重合体の塩などが挙げられる。不飽和カルボン酸としては、アクリル酸、メタクリル酸、イタコン酸、クロトン酸、無水マレイン酸、マレイン酸、フマール酸などが挙げられる。これらと共重合可能な単量体としては、これら不飽和カルボン酸のエステル、酢酸ビニル、エチレン、アクリルアミド、ビニルエーテルなどが挙げられる。特に好ましい合成高分子は、不飽和カルボン酸としてアクリル酸やメタクリル酸を用いたものであり、具体的にはポリアクリル酸、ポリメタクリル酸、アクリル酸メタクリル酸共重合体の塩、アクリル酸又はメタクリル酸とアクリル酸アルキル又はメタクリル酸アルキルとの共重合体の塩が挙げられる。天然物としては、アルギン酸ナトリウム、ザンサンガム、ジェランガム、タラガントガム、ペクチンなどが挙げられる。
【００４１】
〔溶液付与工程〕
次いで、溶液付与工程（Ｓ３）では、図３に示すように、プライ連続シート１Ｂの両方の外面（連続乾燥原紙１Ａ，１Ａをプライ加工した時に連続乾燥原紙１Ａ，１Ａ同士が対向しない面）に２流体方式の各スプレーノズル３，３により上述のバインダー溶液を噴霧して連続シート１Ｃを生成する。
なお、バインダー溶液の噴霧方法として、プライ連続シート１Ｂの片方の外面に上述のバインダー溶液を噴霧するようにしても良い。
【００４２】
２流体方式のスプレーノズル３は、２系統に分けられた圧縮空気と液体を混合し、噴射させる方式のスプレーノズルであり、圧縮した液体を単独で噴射させる１流体方式のスプレーノズルに比べて、液体をきめ細かく均一に噴霧することができる。
本実施形態で２流体方式のスプレーノズルを使用する場合、プライ加工されたプライ連続シート１Ｂの各々の外面に高い圧力（噴射圧１．５ＭＰａ以上）でバインダー溶液（粘度４００〜１２００ＭＰａ．ｓ）を塗布するので、シートの厚さ方向にバインダー溶液を含浸させやすい。
一方、本実施形態で１流体方式のスプレーノズルを使用する場合、プライ加工されたプライ連続シート１Ｂの各々の外面に噴射圧１．５ＭＰａ以下でバインダー溶液（粘度４００〜１２００ＭＰａ．ｓ）を塗布することで、シートの厚さ方向にバインダー溶液を含浸させやすく、シート表面にバインダー溶液を均一に塗布させやすくしている。
このようにして、プライ連続シート１Ｂの外面にバインダー溶液を噴霧することで、トイレクリーナー１００は、厚み方向において中央（両面に塗布した場合）又はバインダー溶液の非塗布面（片面に塗布した場合）からバインダー溶液の塗布面に向かうにつれて水溶性バインダーの含有量が増加した状態となるので、水解性を確保しつつ、表面強度を向上させることができ、強く擦ってもダメージが生じにくいトイレクリーナー１００を製造することが可能となる。
【００４３】
〔乾燥工程〕
次いで、乾燥工程（Ｓ４）では、図３に示すように、乾燥設備４において、上述の連続シート１Ｃのバインダー溶液中の不溶な液分を蒸発させて、有効成分、特にＣＭＣを繊維に対して定着させる。
ここで、連続シート１Ｃの外面から厚み方向内側に向かうにつれて、バインダー溶液の浸み込む量が減少していくことから、当該厚み方向内側に向かうにつれて、ＣＭＣの定着量が減少することとなる。そのため、仕上げ加工工程（Ｓ７）で薬液が含浸された際、当該厚み方向内側に向かうにつれて、架橋反応が起こり難く、空隙を多く有することから、シート内部に当該薬液を閉じ込めた状態とすることができる。これにより、得られるトイレクリーナー１００を乾き難くすることができる。
乾燥設備４としては、連続シート１Ｃに対して熱風を吹き付けて乾燥させるフード付きドライヤー設備が利用できる。なお、シート同士をより密着させるために、プレスロールやターンロールを設置し、乾燥工程（Ｓ４）の前に当該プレスロールや当該ターンロールに連続シート１Ｃを通しても良い。
【００４４】
また、上記乾燥設備として赤外線照射による設備を用いても良い。この場合、上記連続シート１Ｃの搬送方向に複数の赤外線照射部を並列し、搬送される当該連続シート１Ｃに対して赤外線を照射して乾燥を行う。赤外線により水分が発熱し乾燥されるものであるため、熱風によるドライヤーと比較して、均一な乾燥が可能であり、後段のスリット・巻き取り工程においての皺の発生が防止できる。
【００４５】
〔スリット・巻き取り工程〕
次いで、スリット・巻き取り工程（Ｓ５）では、プライ加工された連続水解性シート１Ｄをオフラインの加工機で加工する際の原反とするために、上述の乾燥工程（Ｓ４）で乾燥されＣＭＣの定着が図られた連続水解性シート１Ｄのテンションを調整しながら、スリッター５で所定の幅にスリットし、ワインダー設備６において、巻き取ることとなる。巻き取り速度は、プライ加工工程（Ｓ２）、溶液付与工程（Ｓ３）、乾燥工程（Ｓ４）を考慮して適宜定める。過度に早いとシートの破断が生じ、過度に遅いと皺が発生するのでこれに留意する。
スリット・巻き取り工程（Ｓ５）で、プライ加工された連続水解性シート１Ｄが圧着されることにより、連続水解性シート１Ｄがより一体化され、１枚相当のシートとなる。
【００４６】
〔エンボス加工工程〕
次いで、エンボス加工工程（Ｓ６）では、図４に示すように、２次原反ロール１１から繰り出される、連続水解性シート１Ｄに対して、エンボスロール１２によって、シート全面に所定の形状をなすエンボス加工が施される。このエンボス加工は、シートの強度、嵩高性、拭き取り性等を高めるとともに、デザイン性を高めることを目的としてなされている。
【００４７】
〔仕上げ加工工程〕
次いで、仕上げ加工工程（Ｓ７）では、図４に示すように、仕上げ加工設備１３において、エンボス済シート１Ｅの裁断加工、裁断された各シートの折り加工、折り加工がなされた各シートへの上記薬液の含浸、当該薬液を含浸させた各シートの包装を一連の流れで行う。ここで、薬液に含有される架橋剤は、ＣＭＣを水溶性バインダーとして用いた場合、多価金属イオンを用いることが好ましい。特に、アルカリ土類金属、マンガン、亜鉛、コバルト及びニッケルからなる群から選択される１種又は２種以上の多価金属イオンを用いることが、繊維間が十分に結合されて使用に耐え得る湿潤強度が発現する点、及び水解性が十分になる点から好ましい。これらの金属イオンのうち、カルシウム、ストロンチウム、バリウム、亜鉛、コバルト、ニッケルのイオンを用いることが特に好ましい。
【００４８】
本実施形態では、薬液の含浸後、所定枚数分のシートを計数機（図示省略）により積層する。そして、シートの積層体１１０を、仕上げ加工設備１３内に設けられた押さえベルト１４（図５参照）により一定の高さとなるように規制（押圧・挟持）しつつ搬送し、包装処理を行う。即ち、本実施形態の仕上げ加工工程には、本発明の包装工程が含まれる。
押さえベルト１４は、図５に示すように、それぞれ矢示方向に回転する上押さえベルト１５と下押さえベルト１６とを備えている。押さえベルト１４は、シートの積層体１１０をこれら両押さえベルト１５，１６間に挟持した状態で、包装工程へと搬送するように構成されている。
【００４９】
押さえベルト１４は、例えば、ゴム、シリコン、樹脂（ポリエステル、アラミド樹脂、テフロン（登録商標）など）等、形状を維持可能であり、高速操業にも耐え得る耐久性を有し、且つ搬送時にシートを傷付けない素材により形成されている。なお、搬送時の滑り止めを目的として、表面上をフェルトのようにざらざらさせる表面加工を施すようにしてもよい。また、ステンレス鋼等の金属により形成（防錆加工）するようにしてもよい。
【００５０】
押さえベルト１４（上押さえベルト１５）は、図６（Ａ）及び図６（Ｂ）に示すように、エンボスＥＭ１が形成されたシート（トイレクリーナー１００）との接触面に、エンボスＥＭ１の形状に基づく凹凸パターンである凸部１４１が形成されている。凸部１４１は、所定間隔でシートとの接触面側に突出するとともに、搬送方向と直交する方向に延在している。なお、下押さえベルト１６は、上押さえベルト１５を反転させて配置される点を除き、上押さえベルト１５と同一の構成であるので、説明を省略する。
押さえベルト１４のシートとの接触面に、エンボスＥＭ１の形状に基づく凸部１４１を形成することで、図７に示すように、押さえベルト１４の凸部１４１間にシートのエンボスＥＭ１を収容することができるので、エンボスＥＭ１の形状を保持することが可能となる。
なお、本実施形態では、エンボスＥＭ１が、シートの搬送方向と直交する方向に形成される折り目上には形成されないようになっている。そして、シートの搬送時には、この折り目の位置と上押さえベルト１５の幅方向の位置とを合わせることで、押さえベルト１４の凸部１４１がエンボスＥＭ１に当接しないように搬送される。これにより、エンボスＥＭ１の形状を確実に保持することが可能となる。
以上の、各工程を経ることにより、トイレクリーナー１００が製造される。
【００５１】
なお、押さえベルト１４の形状は、図６に示す例に限定されない。以下、図８〜図１１を参照して、押さえベルト１４の変形例を説明する。なお、図８〜図１１に示す例はいずれも上押さえベルト１５の変形例を示すものとするが、下押さえベルト１６に関しても、実施形態と同様、上押さえベルト１５を反転させて配置される点を除き、上押さえベルト１５と同一の構成である
【００５２】
変形例１に係る押さえベルト１４Ａ（上押さえベルト１５Ａ）は、図８（Ａ）及び図８（Ｂ）に示すように、実施形態に係る押さえベルト１４と比べ、凸部１４１Ａ間の間隔が広くなるように形成されている。
変形例１に係る構成によれば、実施形態に係る押さえベルト１４と比べ、シートとの接地面積を小さくすることができるので、シートの積層体１１０の最上層のエンボスＥＭ１との接触を抑制することが可能となり、エンボスＥＭ１の維持率を向上させることができる。また、薬液の染み出しを抑制することが可能となり、薬液の保持率を向上させることができる。
【００５３】
変形例２に係る押さえベルト１４Ｂ（上押さえベルト１５Ｂ）は、図９（Ａ）及び図９（Ｂ）に示すように、実施形態に係る押さえベルト１４や変形例１に係る押さえベルト１４Ａと比べ、凸部１４１Ｂが搬送方向と直交する方向に延在しておらず、所定のピッチでスポット状（点状）に形成されている点が異なっている。
変形例２に係る構成によれば、実施形態に係る押さえベルト１４や変形例１に係る押さえベルト１４Ａと比べ、シートとの接地面積を非常に小さくすることができるので、シートの積層体１１０の最上層のエンボスＥＭ１との接触を更に抑制することが可能となり、エンボスＥＭ１の維持率を更に向上させることができる。また、薬液の染み出しを更に抑制することが可能となり、薬液の保持率を更に向上させることができる。
【００５４】
変形例３に係る押さえベルト１４Ｃ（上押さえベルト１５Ｃ）は、図１０（Ａ）及び図１０（Ｂ）に示すように、変形例２に係る押さえベルト１４Ｂと比べ、凸部１４１Ｃがより大きく且つ凸部１４１Ｃの数がより多く形成されている点が異なっている。
変形例３に係る構成によれば、変形例１、２に係る構成と同様、実施形態に係る押さえベルト１４と比べ、シートとの接地面積を小さくすることができるので、シートの積層体１１０の最上層のエンボスＥＭ１との接触を抑制することが可能となり、エンボスＥＭ１の維持率を向上させることができる。また、薬液の染み出しを抑制することが可能となり、薬液の保持率を向上させることができる。
【００５５】
変形例４に係る押さえベルト１４Ｄ（上押さえベルト１５Ｄ）は、図１１（Ａ）及び図１１（Ｂ）に示すように、変形例３に係る押さえベルト１４Ｃと比べ、凸部１４１Ｄの先端部に凹部１４２Ｄが形成されている点が異なっている。
変形例４に係る構成によれば、変形例３に係る押さえベルト１４Ｃと比べ、シートとの接地面積を小さくすることができるので、シートの積層体１１０の最上層のエンボスＥＭ１との接触を抑制することが可能となり、エンボスＥＭ１の維持率を向上させることができる。また、薬液の染み出しを抑制することが可能となり、薬液の保持率を向上させることができる。
【実施例】
【００５６】
次に、本発明の各押さえベルト１４、１４Ａ〜１４Ｄと、凸部１４が形成されていない平板形状の従来の押さえベルト（図示省略）と、によりそれぞれ搬送されるシート（トイレクリーナー１００）の１枚目（最上層）のエンボスＥＭ１の維持率及び薬液の保持率を評価した結果を、表１を用いて説明する。以下、従来の押さえベルトによる例を比較例、本発明の各押さえベルト１４、１４Ａ〜１４Ｄによる例をそれぞれ実施例１〜５、として表記する。
【００５７】
＜実施条件＞
・原紙条件
原紙：パルプ１００％
秤量（ドライ状態）：９０ｇ／ｍ２
プライ数：２プライ
・薬液条件
薬液成分：多価アルコール、界面活性剤、除菌剤、オレンジエキス、シリコーン
・エンボス条件（図１参照）：凸部は直径（図中ｈ１）２．５ｍｍの円形、格子配列
エンボスピッチ（図中ｈ２）７ｍｍ
側面視で隣接する凸部の間隔（図中ｈ３）１ｍｍ
・押さえベルト条件
押さえベルト（実施例１）：凸部のピッチ７ｍｍ
シートとの接地面積１ｍｍ幅
押さえベルト（実施例２）：凸部のピッチ１４ｍｍ
シートとの接地面積１ｍｍ幅
押さえベルト（実施例３）：凸部は先端に直径１ｍｍの平面が形成された円錐
凸部のピッチ１４ｍｍ
側面視で隣接する凸部の間隔７ｍｍ
押さえベルト（実施例４）：凸部のピッチ７ｍｍ
シートとは点で接地
押さえベルト（実施例５）：凸部のピッチ７ｍｍ
シートとは直径３ｍｍの線で接地
【００５８】
＜試験方法＞
薬液を１７０％含浸させた１０枚のシートを積層し、積層体１１０の上から各（上）押さえベルトの型と、加重を加えるためのおもりと、を載置する。おもりは、５０ｇずつ加重されるように載置される。そして、積層体１１０の高さが目標である５０ｍｍに達したときのおもりの重さを記録するとともに、そのときの最上層のエンボスＥＭ１の見栄え（維持率）や薬液の保持率を確認する。なお、エンボスＥＭ１の維持率は、例えば、シート全体のエンボスＥＭ１数に対し、エンボスＥＭ１が完全に潰れてフラットな状態となった割合を基に算出する。また、薬液の保持率は、例えば、積層体１１０の最上層のシートが押さえベルトを通過する前後の重量を基に算出する。
【００５９】
【表１】
2018016369.tif 000003
【００６０】
表１に示す結果のとおり、実施例１〜５は、比較例と比べ、押さえベルトとシートとの接地面積が小さくなるため、シートの最上層のエンボスＥＭ１との接触が抑制され、エンボスＥＭ１の維持率が向上することがわかった。また、接地面積の低下に伴い、薬液の染み出しが抑制され、薬液の保持率が向上することがわかった。即ち、本発明のように、エンボスＥＭ１が形成されたシート（家庭用薄葉紙）との接触面にエンボスＥＭ１の形状に基づく凹凸パターン（凸部１４等）を形成することにより、シートの最上層のエンボスＥＭ１の維持率と薬液の保持率とを向上させることができることがわかった。
【００６１】
また、表１に示す結果のとおり、実施例２（変形例１：図８参照）は、実施例１（実施形態：図６参照）と比べ、押さえベルトとシートとの接地面積が小さくなるため、シートの最上層のエンボスＥＭ１との接触が更に抑制され、エンボスＥＭ１の維持率及び薬液の保持率が更に向上することがわかった。
【００６２】
また、表１に示す結果のとおり、凸部がスポット状（点状）に形成されている実施例３（変形例２：図９参照）及び実施例５（変形例４：図１１参照）は、凸部が搬送方向と直交する方向に延在する構成である実施例１（実施形態：図６参照）及び実施例２（実施形態：図６参照）と比べ、押さえベルトとシートとの接地面積が小さくなるため、エンボスＥＭ１の維持率及び薬液の保持率が更に向上することがわかった。
【００６３】
また、表１に示す結果のとおり、凸部がスポット状（点状）に形成されている実施例４（変形例３：図１０参照）は、凸部が搬送方向と直交する方向に延在する構成である実施例２（変形例１：図８参照）と比べ、押さえベルトとシートとの接地面積が同一であっても、エンボスＥＭ１の維持率及び薬液の保持率が向上している。従って、凸部をスポット状（点状）に形成する構成の方が、凸部を搬送方向と直交する方向に延在させる構成よりも、より有効であることがわかった。
【００６４】
なお、実施例では、２プライ（９０ｇ／ｍ２）の原紙を使用しているが、３プライ（９０ｇ／ｍ２）の原紙を使用した場合であっても、同等の効果が得られたことを確認した。
【００６５】
以上のように、本実施形態に係る家庭用薄葉紙（トイレクリーナー１００）の製造方法は、家庭用薄葉紙にエンボスＥＭ１を形成するエンボス工程と、エンボスＥＭ１が形成された家庭用薄葉紙との接触面にエンボスＥＭ１の形状に基づく凹凸パターン（凸部１４１）が形成された押さえベルト１４により、エンボスＥＭ１が形成された家庭用薄葉紙を押圧して高さを一定とした後、一定の高さの家庭用薄葉紙を包装する包装工程と、を有する。
従って、本実施形態に係る家庭用薄葉紙の製造方法によれば、包装工程における家庭用薄葉紙の搬送時に、押さえベルト１４と家庭用薄葉紙との接地面積を小さくすることができるので、家庭用薄葉紙の最上層のエンボスＥＭ１との接触を抑制することが可能となり、エンボスＥＭ１の維持率を向上させることができる。よって、家庭用薄葉紙の嵩高さを確保することができるので、エンボスＥＭ１が潰れることにより生じる拭き取り性の劣化を防止することができ、家庭用薄葉紙の品質を確保することが可能となる。
【００６６】
また、本実施形態に係る家庭用薄葉紙の製造方法は、エンボスＥＭ１が形成された家庭用薄葉紙に薬液を含浸する薬液含浸工程を有する。また、包装工程は、押さえベルト１４により、薬液が含浸された家庭用薄葉紙を押圧して高さを一定とした後、一定の高さの家庭用薄葉紙を包装する。
従って、本実施形態に係る家庭用薄葉紙の製造方法によれば、包装工程における家庭用薄葉紙の搬送時に、押さえベルト１４と家庭用薄葉紙との接地面積を小さくすることができるので、押さえベルト１４に押圧・挟持された際の薬液の余分な染み出しを抑制することが可能となり、薬液の保持率を向上させることができる。よって、家庭用薄葉紙の品質をより確実に確保することが可能となる。
【００６７】
また、本実施形態に係る家庭用薄葉紙の製造方法によれば、押さえベルト１４は、家庭用薄葉紙との接触面に、エンボスＥＭ１の形状に基づく凸部１４１が形成されている。
従って、本実施形態に係る家庭用薄葉紙の製造方法によれば、包装工程における家庭用薄葉紙の搬送時に、押さえベルト１４と家庭用薄葉紙との接地面積を小さくすることができるので、家庭用薄葉紙の最上層のエンボスＥＭ１の維持率と薬液の保持率とを向上させることができる。
【００６８】
また、本実施形態に係る家庭用薄葉紙の製造方法によれば、凸部１４１Ｂ、１４１Ｃ，１４１Ｄは、スポット状に形成され、所定のピッチで配列されている。
従って、本実施形態に係る家庭用薄葉紙の製造方法によれば、凸部が搬送方向と直交する方向に延在する構成と比べ、押さえベルトと家庭用薄葉紙との接地面積が同一であっても、形状的に家庭用薄葉紙の最上層のエンボスＥＭ１との接触や薬液の余分な染み出しを抑制することができるので、家庭用薄葉紙の最上層のエンボスＥＭ１の維持率と薬液の保持率とを更に向上させることができる。
【００６９】
また、本実施形態に係る家庭用薄葉紙の製造方法によれば、凸部１４１Ｄは、先端部に凹部１４２Ｄが形成されている。
従って、本実施形態に係る家庭用薄葉紙の製造方法によれば、先端部に凹部１４２Ｄを形成しない構成と比べ、押さえベルトと家庭用薄葉紙との接地面積を小さくすることができるので、家庭用薄葉紙の最上層のエンボスＥＭ１の維持率と薬液の保持率とを更に向上させることができる。
【００７０】
以上、本発明に係る実施形態に基づいて具体的に説明したが、本発明は上記実施形態に限定されるものではなく、その要旨を逸脱しない範囲で変更可能である。
【００７１】
［その他の変形例］
また、本発明の実施形態の説明に際しては、押さえベルト１４の形状に関し、トイレクリーナー１００との接触面に、エンボスＥＭ１の形状に基づく凸部１４１が形成されている構成を例示して説明しているが、これに限定されるものではない。例えば、エンボスＥＭ１の形状に基づく凸部１４１を形成する代わりに、エンボスＥＭ１の形状に基づく凹部を形成するようにし、トイレクリーナー１００の搬送時には当該凹部にエンボスＥＭ１が収容されるように構成してもよい。
【００７２】
また、本発明の実施形態の説明に際しては、トイレクリーナーを一例としたが、ウェットシート（ウェット衛生薄葉紙）であれば、トイレクリーナーに限らず全ての紙製品（例えば、キッチンクリーナー等）にも用いることができる。また、ウェット衛生薄葉紙に限らず、ドライ衛生薄葉紙にも用いることができる。
【００７３】
また、本発明の実施形態の説明に際しては、トイレクリーナー１００の素材として、水解性の繊維集合体を一例に挙げたが、これに限らずパルプや不織布繊維を使用した紙全般が含まれる。
【００７４】
また、本発明の実施形態の説明に際しては、上押さえベルト１５と下押さえベルト１６とが同一の構成を一例に挙げたが、これに限らず、少なくとも上押さえベルト１５又は下押さえベルト１６のいずれかにエンボスＥＭ１の形状に基づく凹凸パターン（凸部１４１等）が形成されていればよい。
【００７５】
また、本発明の実施形態の説明に際しては、実施例の実施条件に示す原紙条件及び薬液条件にて本発明の効果が得られる点を説明しているが、これに限られない。即ち、本発明は、薬液、原紙条件によらず、効果を得ることが可能である。
【００７６】
また、本発明の実施形態の説明に際しては、エンボスＥＭ１の形状として、円形の形状を例示しているが、エンボスの形状は楕円形、方形、多角形等の任意の形状でよい。
【００７７】
その他、トイレクリーナー１００の細部構成に関しても、本発明の趣旨を逸脱することのない範囲で適宜変更可能である。
【符号の説明】
【００７８】
１００  トイレクリーナー（家庭用薄葉紙）
１  １次原反ロール
１Ａ  連続乾燥原紙
１Ｂ  プライ連続シート
１Ｃ  連続シート
１Ｄ  連続水解性シート
１Ｅ  エンボス済シート
２  重ね合わせ部
３  スプレーノズル
４  乾燥設備
５  スリッター
６  ワインダー設備
１１  ２次原反ロール
１２  エンボスロール
１３  仕上げ加工設備
ＥＭ１１  エンボス
【図１】
2018016369.tif 000004
【図２】
2018016369.tif 000005
【図３】
2018016369.tif 000006
【図４】
2018016369.tif 000007
【図５】
2018016369.tif 000008
【図６】
2018016369.tif 000009
【図７】
2018016369.tif 000010
【図８】
2018016369.tif 000011
【図９】
2018016369.tif 000012
【図１０】
2018016369.tif 000013
【図１１】
2018016369.tif 000014